(57)【要約】      （修正有）【課題】建物を移動する人の心理的な不安感を解消し、安全事故を予防することのできるガイド照明システムを提供する。【解決手段】壁または天井に所定の距離を空けて設けられ、相互通信可能に構成される複数の照明装置を含み、前記複数の照明装置の各々は、物体の動きを感知する動作センサと、明るさが調節可能なランプユニットと、明るさ調節信号を、隣接する照明装置の通信手段と有線または無線により送受信する通信手段とを含み、前記動作センサによって物体の動きが感知されない場合、各々のランプユニットは最小の明るさで照明し、照明装置のいずれか一つの動作センサによって物体の動きが感知された場合には、ランプユニットは予め定められた最大の明るさで照明するとともに、通信手段を介して明るさ調節信号を第１の隣接照明装置の通信手段へ伝送し、信号を受信した照明装置はランプユニットの明るさを調節する。【選択図】図２
2012033354.tif 000002
【特許請求の範囲】
【請求項１】
ガイド照明システムであって、
壁または天井に所定の距離を空けて設けられ、有線または無線により相互通信可能に構成される１〜Ｎ個の複数の照明装置を含み、
前記複数の照明装置の各々は、
物体の動きを感知する動作センサと；
予め定められた最小の明るさと、予め定められた最大の明るさと、前記最小の明るさおよび最大の明るさとの間の一以上の明るさに調節可能なランプユニットと；
前記ランプユニットの明るさ調節信号を、隣接する照明装置の通信手段と有線または無線により送受信する通信手段と；
前記動作センサと、ランプユニットおよび通信手段の動作を制御する制御部と、
を含み、
前記動作センサによって物体の動きが感知されない場合には、前記複数の照明装置各々の制御部は、当該照明装置各々のランプユニットが前記最小の明るさで照明するように制御し、
前記複数の照明装置のいずれか一つの動作センサによって物体の動きが感知された場合には、物体の動きを感知した照明装置の前記制御部は、前記ランプユニットが前記予め定められた最大の明るさで照明するように制御するとともに、前記通信手段を介して明るさ調節信号を前記物体の動きを感知した照明装置と隣接する照明装置の通信手段へ伝送し、前記明るさ調節信号を受信した隣接する照明装置の制御部は、受信した明るさ調節装置によって照明するように明るさを制御し、さらに前記明るさ調節信号を受信した照明装置と隣接する照明装置へ明るさ調節信号を伝送し、こうした隣接する照明装置への信号伝送は、リレー式に継続され、隣接する照明装置へ伝送される前記明るさ調節信号は、信号を受信する照明装置の明るさが伝送する照明装置の明るさよりは暗く、前記最小の明るさよりは明るい照明がなされるようにする信号であることを特徴とするガイド照明システム。
【請求項２】
請求項１記載のガイド照明システムにおいて、
一定時間物体の感知信号あるいは隣接照明装置からの明るさ調節信号を受信しない場合には、前記複数の照明装置各々の制御部は、当該照明装置各々のランプユニットが前記最小の明るさで照明するように制御することを特徴とするガイド照明システム。
【発明の詳細な説明】
【技術分野】
【０００１】
本発明は、建物の長い通行路空間あるいは地下駐車場のような広く長い空間に提供される照明システムに関し、特に、暗く長い移動空間を通過する際に生じる不安感を解消するために、物体の感知のない場合には設定された最小の照明をしつつ、物体が感知され、該物体が移動するに伴って効率的な照明がなされるようにする照明システムに関する。
【背景技術】
【０００２】
現在の照明装置は、夜間に人の動きを感知して、人の動きが感知される場合には当該位置の照明装置が点灯し、人が移動して感知範囲から外れると照明が消えるという仕組みである。
【０００３】
図１は、従来の照明装置を示す図面であり、各々固有のコードが付与された多数のモーションセンサで構成されるセンサ部１１、センサ部からの信号を処理する信号処理部１２、信号処理部からの信号によって電灯部を制御する制御部１３、制御部の制御信号によって任意の位置の電灯を駆動する電灯部１４で構成され、任意の領域における照明装置に対して照明が必要な人が存在するかどうかを感知するためのモーションセンサを多数具備させておき、人が存在する場合には該当する照明装置をオンさせ、人が移動すれば当該照明装置はオフされて、新たな人を感知した領域の照明装置がオンされる仕組みである。
【０００４】
こうした従来の方式によると、人が特定の感知領域から離れたものの新たな感知領域において直ちに人を感知できない場合には、一時的に照明装置がすべてオフ状態となるため、長い空間を移動する際には、人々は不安感を感じることとなる。
【０００５】
また、一定空間に人や車両などの物体が初めて進入する際、照明装置の感知センサが直ちに感知するわけではないため、一瞬暗い空間に入ることによって不安感を感じることとなる。
【０００６】
また、人を感知した領域において照明装置がオンされているとしても、他の領域の照明装置はオフ状態となっているため、特定の領域のみ照明がなされ、他の領域は暗い状態にあり、広く長い空間を移動する人の場合には、暗い領域にどんな危険な物体があるのか知ることができず、心理的不安感を依然として有することとなり、安全事故の危険性もある。
【発明の概要】
【発明が解決しようとする課題】
【０００７】
前記のような問題点を解決するために、本発明は、長く、広く、暗い空間において常に一定の最小の明るさの照明がなされるようにし、物体の感知および移動に伴って効率的な照明がなされるようにする照明システムの提供を目的とする。
【課題を解決するための手段】
【０００８】
前記目的を達成するための本発明に係るガイド照明システムは、壁または天井に所定の距離を空けて設けられ、有線または無線により相互通信可能に構成される１〜Ｎ個の複数の照明装置を含み、前記複数の照明装置の各々は、物体の動きを感知する動作センサと；予め定められた最小の明るさと、予め定められた最大の明るさと、前記最小の明るさおよび最大の明るさとの間の一以上の明るさに調節可能なランプユニットと；前記ランプユニットの明るさ調節信号を、隣接する照明装置の通信手段と有線または無線により送受信する通信手段と；前記動作センサと、ランプユニットおよび通信手段の動作を制御する制御部とを含み、前記動作センサによって物体の動きが感知されない場合には、前記各々の制御部は前記各々のランプユニットが前記最小の明るさで照明するように制御し、前記複数の照明装置のいずれか一つの動作センサによって物体の動きが感知された場合には、該いずれか一つの照明装置の前記制御部は、前記ランプユニットが前記予め定められた最大の明るさで照明するように制御するとともに、前記通信手段を介して明るさ調節信号を隣接照明装置の通信手段へ伝送し、前記信号を受信した照明装置の制御部が、該ランプユニットの明るさを調節するようにすることを特徴とする。
【０００９】
また、本発明に係るガイド照明システムは、物体の感知信号を感知した照明装置から前記明るさ調節信号を受信した第１の隣接照明装置の制御部は、該照明装置のランプユニットが前記最大の明るさよりは暗く、前記最小の明るさよりは明るい明るさで照明するように制御することを特徴とする。
【００１０】
また、本発明に係るガイド照明システムは、物体の移動によって前記明るさ調節信号を受信した隣接照明装置の動作センサが物体の動きを感知すると、該照明装置の制御部は、前記ランプユニットが前記最大の明るさで照明するように制御すると同時に、前記隣接照明装置のまた別の隣接照明装置へ明るさ調節信号を伝送して、該照明装置の制御部がランプユニットが前記最小の明るさよりも明るい明るさで照明するように制御することを特徴とする。
【００１１】
また、本発明に係るガイド照明システムは、前記物体の感知信号を感知した照明装置から前記明るさ調節信号を受信した第１の隣接照明装置の制御部は、第２の隣接照明装置の通信手段へ明るさ調節信号を伝送することを特徴とする。
【００１２】
また、本発明に係るガイド照明システムは、前記第１の隣接照明装置から明るさ調節信号を受信した第２の隣接照明装置の制御部は、前記明るさ調節信号によって前記ランプユニットの明るさを制御し、第３の隣接照明装置へ明るさ調節信号を伝送し、こうした信号伝送がリレー方式で継続して隣接照明装置へ伝送されることを特徴とする。
【００１３】
また、本発明に係るガイド照明システムは、隣接照明装置へ伝送される前記明るさ調節信号は、信号を伝送する照明装置の明るさよりは暗く、前記最小の明るさよりは明るい照明がなされるようにする信号であることを特徴とする。
【００１４】
また、本発明に係るガイド照明システムは、一定時間物体の感知信号あるいは隣接照明装置からの明るさ調節信号を受信しない場合には、前記照明装置の制御部は、前記ランプユニットが前記最小の明るさで照明するように制御することを特徴とする。
【発明の効果】
【００１５】
本発明は、物体を感知する前にも一定照度以下の暗い空間や時間帯に常に一定の明るさの照明がなされ、物体の感知および物体の移動に伴って効率的な照明がなされるようにすることにより、建物の一定空間を移動する際に一時的に照明がなされないことによる安全事故を予防し、遠くまで視野を確保できるようにして人の心理的不安感を解消し、安全事故をも予防することのできる効果を奏する。
【図面の簡単な説明】
【００１６】
【図１】従来の照明装置を示す図である。
【図２】本発明に係る照明システムを構成する照明装置の内部構成図を示す図である。
【図３】本発明に係る第１の実施例の照明システムを示す図である。
【図４】本発明に係る第２の実施例の照明システムを示す図である。
【発明を実施するための形態】
【００１７】
以下、添付された図面を参照しつつ、本発明に係る照明システムについてより詳細に説明する。
【００１８】
図２は、本発明に係る照明システムを構成する照明装置２００の内部構成図を示す図である。
【００１９】
図２に示されたところのように、本発明に係る照明装置は、物体の動きを感知する動作センサ２０１と、多段階に設定された明るさ調節可能なランプユニット２０２と、隣接照明装置間で明るさ調節信号を送受信する通信手段２０３と、前記動作センサ、ランプユニット、通信手段を制御する制御部２０４で構成される。
【００２０】
動作センサ２０１は、物体の動きを感知すると、感知信号を制御部へ伝達する。
【００２１】
ランプユニット２０２は、多段階に明るさ調節可能に構成され、白熱灯、蛍光灯、ハロゲン灯、ＬＥＤなどの通常的なランプが、一つあるいは複数に多様に適用され、制御部の明るさ制御信号によって明るさが調節できるように構成される。ここで、ランプの多段階明るさ調節は公知の技術であり、通常的な明るさ調節方式（電力供給方式あるいはスイッチング方式）が多様に採択されて使用できるため、具体的な説明は省略する。
【００２２】
通信手段２０３は、有線・無線通信手段を包括し、隣接する照明装置の通信手段と相互に明るさ調節信号を送受信する。有線通信方式を通じて制御部から提供される明るさ調節信号を伝達することもでき、無線通信方式、たとえば、家庭制御、ビル制御および産業制御用として現在注目されているジグビー（ｚｉｇｂｅｅ）方式とすることもできる。
【００２３】
制御部２０４は、前記ランプユニットを制御して照明装置の明るさを調節し、通信手段を介して隣接照明装置へ明るさ調節信号を伝送するようにする。制御部２０４は、ランプユニットの明るさを制御するにあたり、物体の感知信号あるいは隣接照明装置からの明るさ調節信号の受信がない場合には、前記ランプユニットの明るさを設定された最小限の明るさで照明するように制御し、動作センサ２０１から物体の感知信号が伝達されると、前記ランプユニットの明るさを設定された最大の明るさで照明するように制御する。そして、隣接照明装置から明るさ調節信号を受信した場合には、受信された信号によって前記ランプユニットの明るさを調節する。
【００２４】
前記制御部２０４は、動作センサから物体の感知信号を受信した場合には、多数の照明装置のうち左右両方向に隣接した照明装置へ、明るさ調節信号を前記通信手段２０３を介して伝送する。
【００２５】
物体の感知信号はなく、隣接した照明装置から明るさ調節信号のみを受信した場合には、受信された信号によって前記ランプユニットの明るさを制御するとともに、また別の隣接した照明装置へ、明るさ調節信号を、通信手段を介して伝送する。
【００２６】
このとき、隣接照明装置へ伝送される明るさ調節信号は、信号を伝送する照明装置の明るさよりは暗く、前記最小の明るさよりは明るい照明がなされるようにする信号である。
【００２７】
図３は、本発明に係る第１の実施例の照明システムを示す図である。
【００２８】
図３に示されたところのように、本発明に係る照明システムは、複数の照明装置（たとえば、１〜Ｎ個の照明装置）が所定の間隔で長い空間に沿って配置されており、物体が出入りすることのできる入口は、前記長い空間に沿って数箇所に設けることができる。
【００２９】
本発明に係る第１の実施例によると、暗い空間に人が初めて入る際に心理的不安感を感じないように、物体の感知のない状態においては、設定された最小限の明るさですべての照明装置が照明をする。そうして、複数の照明装置のいずれか一つ、たとえば、図面に示したところのように、３番の照明装置が仮に物体の動きを感知すると、物体を感知した照明装置の制御部は、当該照明装置の明るさを、設定された最大限の明るさで照明するように制御し、３番の照明装置に隣接した照明装置である２番の照明装置および４番の照明装置にそれぞれ明るさ調節信号を伝送する。物体を感知した照明装置を基準に、それに隣接した照明装置を第１の隣接照明装置と呼び、第１の隣接照明装置に隣接した照明装置を第２の隣接照明装置、第２の隣接照明装置に隣接した照明装置を第３の隣接照明装置、第３の隣接照明装置に隣接した照明装置を第４の隣接照明装置と呼ぶこととし、多数の照明装置間の動作関係を説明する。第１の隣接照明装置は、物体を感知した照明装置の左右両方向の隣接照明装置をいい、第２、第３、第４の隣接照明装置は、第１の隣接照明装置から信号が伝達される方向に位置している各照明装置を意味する。
【００３０】
明るさ調節信号は、最大の明るさよりは低いが最小の明るさよりは高い照明となるように調節する信号であり、これによって明るさ調節信号を受信した第１の隣接照明装置である２番および４番の照明装置は、該照明装置の制御部の制御によって、ランプユニットが最大の明るさよりは暗いが最小の明るさよりは明るい照度で照明する。
【００３１】
物体が移動をして４番の照明装置が物体を感知するようになると、４番の照明装置は最大の明るさ（明るさ１００％）となるように制御部を介してランプユニットを制御し、４番の照明装置の第１の隣接照明装置である３番および５番の照明装置へ明るさ調節信号を伝送する。このとき、明るさ調節信号は、最大の明るさよりは低いが最小の明るさ（たとえば３０％）よりは高い明るさ（たとえば９０％）の照明がなされるように調節する信号であり、これによって明るさ調節信号を受信した３番および５番の照明装置は、該照明装置の制御部の制御によって、最大の明るさよりは暗いが最小の明るさよりは明るい、受信された明るさ調節信号による照度で照明する。３番の照明装置は、物体を感知した後、物体が移動をして３番の照明装置の感知範囲から外れ、４番の照明装置が物体を感知することによって、４番の照明装置の明るさ調節信号によりランプユニットの明るさが制御されることとなるわけである。
【００３２】
もし、２番および３番の照明装置が物体を感知すれば、２番および３番の照明装置は、最大の明るさで照明され、隣接する１番および４番の照明装置は、受信された明るさ調節信号によって最小の明るさよりは高い明るさで照明をするように制御することとなる。隣接照明装置の明るさは、最大の明るさに比べて９０％あるいは８０％の明るさなど、多様に設定することができる。
【００３３】
複数の物体の移動により、複数の照明装置が物体の動きを感知する一方で隣接照明装置から明るさ調節信号を受信し、物体感知信号と明るさ調節信号がいずれも伝達された場合には、当該照明装置の制御部は、物体感知信号を優先し、それにより最大の明るさで制御することとなる。
【００３４】
所定の時間、物体の感知信号あるいは明るさ調節信号のいずれの受信もない場合には、制御部は、再び照明装置の照度を、設定された最小の明るさとなるように制御する。
【００３５】
このように、照度の低い時間帯や空間において物体の感知が全くない場合には、前記照明システムを構成するすべての照明装置が最小の明るさで照明されるようにし、物体を前記照明装置のいずれかが感知すれば、物体を感知した感知範囲の照明装置およびその隣接照明装置の明るさが最小の明るさよりは高くなり、物体を感知した領域とその隣接領域まで明るい照明となることにより、移動する物体は心理的に安定した状態で一定空間を移動することができるようになる。
【００３６】
図４は、本発明に係る第２の実施例の照明システムを示す図である。
【００３７】
図４に示されたところのように、本発明に係る照明システムは、複数の照明装置（たとえば、１〜Ｎ個の照明装置）が所定の間隔で長い空間に沿って配置されている。
【００３８】
本発明に係る第２の実施例によると、暗い時間帯や空間に、人が心理的不安感を感じないよう設定された最小限の明るさの照明をする点は、第１の実施例と同じである。ただし、物体の感知信号を前記照明システムのいずれかの照明装置が感知した場合に、第１の実施例では、物体を感知した照明装置と該照明装置に隣接する照明装置である第１の隣接照明装置の照度のみが、最小の明るさよりも高い、設定された明るさにまで高くなるのに対し、第２の実施例では、リレー式に信号を受信した第１の隣接照明装置がさらにその隣接照明装置へ明るさ調節信号を伝送し、こうした隣接照明装置間の信号伝送が順次連続して行われることにより、すべての照明装置の照度が最小の明るさよりも高くなるという点において異なる。
【００３９】
すなわち、３番の照明装置が物体の動きを感知すると、３番の照明装置は、最大の明るさで照明されるようにランプユニットを制御し、第１の隣接照明装置である２番および４番の照明装置に明るさ調節信号を伝送する。明るさ調節信号を受信した２番および４番の照明装置は、該受信信号によって当該照明装置のランプユニットを制御するとともに、第２の隣接照明装置（２番の照明装置の隣接照明装置である１番の照明装置、および４番の照明装置の隣接照明装置である５番の照明装置がこれに該当）へさらに明るさ調節信号を伝送し、これを受信した第２の隣接照明装置（１番および５番の照明装置）は、さらに第３の隣接照明装置（５番の照明装置の隣接照明装置である６番の照明装置がこれに該当。１番の照明装置の隣接照明装置はないので、１番の照明装置はこれ以上信号を伝送しない）へ明るさ調節信号を順次伝送することとなる。これにより、２番の照明装置は１番の照明装置へ信号を送り、４番の照明装置は５番の照明装置へ、５番の照明装置は６番の照明装置へ信号を伝送する形で、隣接照明装置が存在する空間に沿ってリレー式に順次継続して信号を伝送し、すべての照明装置の明るさが最小の明るさ以上となるように照明することとなる。このとき、明るさ調節信号は、明るさ調節信号を受信する照明装置が送信する照明装置の明るさよりも常に低い明るさとなるように信号を伝送する。このような明るさの制御により、物体を感知した照明装置は１００％の明るさで照明し、物体を感知した照明装置をスタートに、明るさ調節信号を順次受信する照明装置は、第１の隣接照明装置は明るさ９０％、第２の隣接照明装置は明るさ８０％、第３の隣接照明装置は明るさ７０％、第４の隣接照明装置は明るさ６０％のように、順次明るさ調節信号を伝送する照明装置よりも低い明るさであるが最小の明るさよりは高い明るさに調節されて照明がなされる。
【００４０】
第２の実施例では、第１の実施例よりも遠くまで視野をより確実に確保することが必要な状況において適用の必要性がある。こうした照明を通じ、複数の照明装置のいずれかが物体の動きを感知すると、それを基準に両方向へ、すべての照明が最小の明るさよりは高い明るさに調節されるので、遠くまで視野を確保することが可能となる。
【００４１】
以上、説明した内容を通じ、当業者であれば、本発明の技術思想を逸脱しない範囲において多用な修正および変更が可能であり、また、本発明の技術的範囲は、前記説明した実施例に限定されるものではなく、本発明の技術的範囲を逸脱しない修正および変更された内容をも含まれるべきである。
【符号の説明】
【００４２】
２０１：動作センサ
２０２：ランプユニット
２０３：通信手段
２０４：制御部
【図１】
2012033354.tif 000003
【図２】
2012033354.tif 000004
【図３】
2012033354.tif 000005
【図４】
2012033354.tif 000006